(57)【特許請求の範囲】
【請求項１】
第１のウエハと、
第２のウエハと、
前記第１のウエハと前記第２のウエハとの間に位置決めされるように構成されたスペーシングウエハと、
前記スペーシングウエハの内部に位置決めされ前記第１のウエハと前記第２のウエハとに接触するように構成されており、前記第１のウエハと前記第２のウエハとの間に第１のスペーシング距離を規定する大きさを有する複数のスペーシング要素と
を備え、
前記スペーシングウエハは前記スペーシングウエハ自体を通過する複数のホールを含み、それぞれのスペーシング要素はホールの中に位置決めされるように構成されている、アセンブリ。
【請求項２】
第１のウエハと、
第２のウエハと、
前記第１のウエハと前記第２のウエハとの間に位置決めされるように構成されたスペーシングウエハと、
前記スペーシングウエハの内部に位置決めされ前記第１のウエハと前記第２のウエハとに接触するように構成されており、前記第１のウエハと前記第２のウエハとの間に第１のスペーシング距離を規定する大きさを有する複数のスペーシング要素と
を備え、
前記スペーシングウエハは前記第１のウエハと前記第２のウエハとの両方に結合されて、複数のアセンブリとスクラップ材料とに分解されるように構成されている、結合されたウエハアセンブリを形成する、アセンブリ。
【請求項３】
前記スペーシング要素は前記スクラップ材料の中に含まれている、請求項２記載のアセンブリ。
【請求項４】
それぞれのスペーシング要素は、ガラス、金属、セラミック、サファイアおよびジルコニアから構成される材料群の中の少なくとも１つから製造される、請求項１記載のアセンブリ。
【請求項５】
それぞれのスペーシング要素は当該スペーシング要素の少なくとも１つの寸法が前記第１のスペーシング距離と等しくなるように製造されている、請求項１記載のアセンブリ。
【請求項６】
それぞれのスペーシング要素は前記第１のスペーシング距離と等しい直径を有する球である、請求項１記載のアセンブリ。
【請求項７】
ウエハアセンブリを組み立てる方法であって、
第１のウエハをスペーシングウエハに結合することと、
複数のスペーシング要素を前記スペーシングウエハの中に挿入することと、
第２のウエハを前記スペーシングウエハに結合しウエハアセンブリを形成することと、
前記ウエハアセンブリを圧縮し、前記スペーシング要素が前記第１のウエハと前記第２のウエハとの両方と接触することにより前記第１のウエハと前記第２のウエハとが第１のスペーシング距離だけ離隔していることになる圧縮されたウエハアセンブリを形成することと、
前記圧縮されたウエハアセンブリを複数の個別的なアセンブリとスクラップ材料とに分解することと
を備え、
前記スクラップ材料は廃棄材料と前記複数のスペーシング要素とを備える、方法。
【請求項８】
前記複数のスペーシング要素を前記スクラップ材料から回収することをさらに備えている、請求項７記載の方法。
【請求項９】
前記回収することは前記廃棄材料を前記スクラップ材料から融解することにより前記複数のスペーシング要素を前記廃棄材料から分離することを含む、請求項８記載の方法。
【請求項１０】
前記回収することは前記廃棄材料を前記スクラップ材料から化学浴において熔解することにより前記複数のスペーシング要素を前記廃棄材料から分離することを含む、請求項８記載の方法。
【請求項１１】
それぞれのスペーシング要素は、ガラス、金属、セラミック、サファイアおよびジルコニアから構成される材料群の中の少なくとも１つから製造される、請求項７記載の方法。
【請求項１２】
それぞれのスペーシング要素は当該スペーシング要素の少なくとも１つの寸法が前記第１のスペーシング距離と等しくなるように製造されている、請求項７記載の方法。
【請求項１３】
それぞれのスペーシング要素は前記第１のスペーシング距離と等しい直径を有する球である、請求項７記載の方法。
【請求項１４】
内側表面を備えた第１のウエハと、
内側表面を備えた第２のウエハと、
第１の表面と第２の表面とそれらを通過する複数のホールとを備えており前記第１ウエハと前記第２ウエハとの間に位置決めされたスペーシングウエハであって、前記スペーシングウエハの前記第１の表面は前記第１のウエハの前記内側表面と結合されるように位置決めされ、前記スペーシングウエハの前記第２の表面は前記第２のウエハの前記内側表面と結合されるように位置決めされている、スペーシングウエハと、
前記複数のホールの少なくとも一部の中に位置決めされ前記第１のウエハの前記内側表面と前記第２のウエハの前記内側表面との両方と接触しており、前記第１のウエハと前記第２のウエハとの間に第１のスペーシング距離を規定するように構成された複数のスペーシング要素と
を備え、
前記スペーシングウエハは前記第１のウエハと前記第２のウエハとの両方に結合されて、複数のアセンブリとスクラップ材料とに分解されるように構成されている、結合されたウエハアセンブリを形成する、アセンブリ。
【請求項１５】
前記スペーシング要素は前記スクラップ材料の中に含まれている、請求項１４記載のアセンブリ。
【請求項１６】
それぞれのスペーシング要素は、ガラス、金属、セラミック、サファイアおよびジルコニアから構成される材料群の中の少なくとも１つから製造される、請求項１４記載のアセンブリ。
【請求項１７】
それぞれのスペーシング要素は当該スペーシング要素の少なくとも１つの寸法が前記第１のスペーシング距離と等しくなるように製造されている、請求項１４記載のアセンブリ。
【請求項１８】
それぞれのスペーシング要素は前記第１のスペーシング距離と等しい直径を有する球である、請求項１４記載のアセンブリ。
【請求項１９】
ベース層から第１の焦点距離の位置にレンズ要素を実装する方法であって、
複数のスペーシング要素を前記レンズ要素に固定し第１のレンズアセンブリを形成することと、
ある量の変形可能材料を前記複数のスペーシング要素のそれぞれに施用することと、
前記変形可能材料が前記ベース層に接触するまで第１の押下力を前記第１のレンズアセンブリに加えることと、
熱を前記変形可能材料に加えることと、
前記第１の押下力よりも大きい第２の押下力を前記第１のレンズアセンブリに加えることにより前記変形可能材料を変形することと、
前記レンズ要素と前記ベース層との間の距離が前記第１の焦点距離と等しくなるときに前記第２の押下力を除去することにより、第２のレンズアセンブリを作成することと
を備えている方法。
【請求項２０】
前記変形可能材料が前記ベース層を前記第１のレンズアセンブリに結合するように前記第２のレンズアセンブリを冷却することをさらに備えている、請求項１９記載の方法。
【請求項２１】
前記第１の押下力は前記第２の押下力よりも小さい、請求項１９記載の方法。
【請求項２２】
前記ベース層はイメージセンサを備えている、請求項１９記載の方法。
【発明の詳細な説明】
【技術分野】
【０００１】
関連出願の相互参照
本出願は、Ｍｏｒｄｅｈａｉ  Ｍａｒｇａｌｉｔを発明者とする「Ｍａｎｕｆａｃｔｕｒｅ  ｏｆ  Ｏｐｔｉｃａｌ  Ｃｏｍｐｏｎｅｎｔｓ」と題する米国特許仮出願第６１／３２６，３７２号の優先権の利益を主張するものである。この米国特許仮出願は、本出願の出願日よりも先行することが１２ヶ月以内である２０１０年４月２１日に出願されており、すなわち、現在同時係属中である出願が当該出願日の利益を享受することができる出願である。
【０００２】
列挙されている出願のすべての主題、ならびに関連出願の任意およびすべての親出願、親出願のさらに親出願、親出願の親出願のさらに親出願などのすべての主題は、こうした主題が本明細書と一貫性を有しないことがない範囲で、援用により本明細書に組み込まれる。
【背景技術】
【０００３】
レンズなどの光学要素は、ガラスまたは射出成形されたプラスチックを用いて製造されるのが典型的である。複数のレンズから製造される複合的な光学コンポーネントは、カメラや携帯電話など多数の消費者デバイスにおいて用いられている。そのような複合的な光学コンポーネントを作成するためには、製造された複数のレンズが、さまざまな技術を用いて組み立てられる。そのような技術の１つとして、ウエハアセンブリを製造するものがある。ウエハアセンブリは、典型的には、少なくとも１枚のスペーシングウエハを有する２枚以上のウエハを含んでいるが、ここで、スペーシングウエハは、２枚のウエハの間に位置決めされ結合されている。たとえば、単純なレンズアセンブリは、２枚のレンズウエハを含む。スペーシングウエハは、これら２枚のレンズウエハの間に位置決めされ結合されることにより、これらのレンズウエハが相互に好適な距離だけ離隔するように間隔を設定する。
【０００４】
図１Ａから１Ｄまでは、例示的なレンズアセンブリ１００を図解している。２枚のレンズウエハ１０２が、スペーシングウエハ１０４の周囲に位置決めされている。レンズウエハ１０２は、複数のレンズ１０６を含む。スペーシングウエハ１０４は複数のホール１０８を含むのであるが、これらの複数のホール１０８は、レンズウエハ１０２の上のそれぞれのレンズ１０６がホールの中に位置決めされ、それぞれのレンズによって透過される光が妨害されたりそれ以外の態様で邪魔されたりすることのないように、位置決めされている。スペーシングウエハは、サーモプラスチックまたはサーモセットなどの射出成形されたポリマ、セラミック、ガラス、エポキシ、ポリカーボネートまたはそれ以外の類似の材料から製造される。結合材料１１０の層が、両方のレンズウエハ１０２の内側表面またはスペーシングウエハ１０４の両側の表面に施用される。次に、レンズウエハ１０２とスペーシングウエハ１０４とが共に押下されて、レンズアセンブリ１００が形成される。いったん形成されると、レンズアセンブリは、個別のレンズとスクラップ材料とに切断される。スペーシングウエハにおけるさまざまな不均一性や施用される結合材料の厚さのために、第１のレンズアセンブリが第２のレンズアセンブリよりも１０ミクロン以上厚くなることがあり得る。
【発明の概要】
【０００５】
１つの一般的な点では、実施形態によって、第１のウエハと、第２のウエハと、前記第１のウエハと前記第２のウエハとの間に位置決めされるように構成されたスペーシングウエハと、前記スペーシングウエハの内部に位置決めされ前記第１のウエハと前記第２のウエハとに接触するように構成されており、前記第１のウエハと前記第２のウエハとの間に第１のスペーシング距離を画定する大きさを有する複数のスペーシング要素とを含むアセンブリが開示される。
【０００６】
別の一般的な点では、実施形態によって、ウエハアセンブリを組み立てる方法であって、第１のウエハをスペーシングウエハに結合することと、複数のスペーシング要素を前記スペーシングウエハの中に挿入することと、第２のウエハを前記スペーシングウエハに結合しウエハアセンブリを形成することと、前記ウエハアセンブリを圧縮し、前記スペーシング要素が前記第１のウエハと前記第２のウエハとの両方と接触することにより前記第１のウエハと前記第２のウエハとが第１のスペーシング距離だけ離隔している圧縮されたウエハアセンブリを形成することとを含む方法が開示される。
【０００７】
別の一般的な点では、実施形態によって、内側表面を備えた第１のウエハと、内側表面を備えた第２のウエハと、第１の表面と第２の表面と通過する複数のホールとを備えており前記第１の表面と前記第２の表面との間に位置決めされたスペーシングウエハであって、前記第１の表面は前記第１のウエハの前記内側表面と結合されるように位置決めされ、前記第２の表面は前記第２のウエハの前記内側表面と結合されるように位置決めされている、スペーシングウエハと、前記複数のホールの少なくとも一部の中に位置決めされ前記第１のウエハの前記内側表面と前記第２のウエハの前記内側表面との両方と接触しており、前記第１のウエハと前記第２のウエハとの間に第１のスペーシング距離を規定するように構成された複数のスペーシング要素とを含むアセンブリが開示される。
【０００８】
別の一般的な点では、実施形態によって、ベース層から第１の焦点距離の位置にレンズ要素を実装する方法であって、複数のスペーシング要素を前記レンズ要素に固定し第１のレンズアセンブリを形成することと、ある量の変形可能材料を前記複数のスペーシング要素のそれぞれに施用することと、前記変形可能材料が前記ベース層に接触するまで第１の押下力を前記第１のレンズアセンブリに加えることと、熱を前記変形可能材料に加えることと、第２の押下力を前記第１のレンズアセンブリに加えることにより前記変形可能材料を変形することと、前記レンズ要素と前記ベース層との間の距離が前記第１の焦点距離と等しくなるときに前記第２の押下力を除去することにより、第２のレンズアセンブリを作成することとを含む方法が開示される。
【０００９】
以上の概要は、単に説明的なものであり、いかなる意味でも限定を意図していない。上述した説明的な態様、実施形態および特徴に加えて、さらなる態様、実施形態および特徴が、図面と以下の詳細な説明とを参照することにより明らかとなる。
【図面の簡単な説明】
【００１０】
【図１Ａ】典型的なスタック型のウエハアセンブリのさまざまなコンポーネントを図解する図である。
【図１Ｂ】典型的なスタック型のウエハアセンブリのさまざまなコンポーネントを図解する図である。
【図１Ｃ】典型的なスタック型のウエハアセンブリのさまざまなコンポーネントを図解する図である。
【図１Ｄ】典型的なスタック型のウエハアセンブリのさまざまなコンポーネントを図解する図である。
【図２Ａ】本明細書において説明される実施形態によるスタック型のウエハアセンブリのさまざまなコンポーネントを図解する図である。
【図２Ｂ】本明細書において説明される実施形態によるスタック型のウエハアセンブリのさまざまなコンポーネントを図解する図である。
【図２Ｃ】本明細書において説明される実施形態によるスタック型のウエハアセンブリのさまざまなコンポーネントを図解する図である。
【図２Ｄ】本明細書において説明される実施形態によるスタック型のウエハアセンブリのさまざまなコンポーネントを図解する図である。
【図３Ａ】本明細書において説明される実施形態によるスタック型のウエハアセンブリの製造のさまざまな段階を図解する図である。
【図３Ｂ】本明細書において説明される実施形態によるスタック型のウエハアセンブリの製造のさまざまな段階を図解する図である。
【図３Ｃ】本明細書において説明される実施形態によるスタック型のウエハアセンブリの製造のさまざまな段階を図解する図である。
【図３Ｄ】本明細書において説明される実施形態によるスタック型のウエハアセンブリの製造のさまざまな段階を図解する図である。
【図３Ｅ】本明細書において説明される実施形態によるスタック型のウエハアセンブリの製造のさまざまな段階を図解する図である。
【図４】本明細書において説明される実施形態によるスタック型のウエハアセンブリの製造の例示的なフローチャートである。
【図５Ａ】本明細書において説明される実施形態による別のアセンブリの製造のさまざまな段階を図解する図である。
【図５Ｂ】本明細書において説明される実施形態による別のアセンブリの製造のさまざまな段階を図解する図である。
【図６】本明細書において説明される実施形態による別のアセンブリの製造の例示的なフローチャートである。
【発明を実施するための形態】
【００１１】
本明細書で用いられる場合、「レンズ」とは、光を受け取り、合焦し、方向付け、および／または透過するように構成された１つまたは複数の光学デバイスを意味する。レンズは、ガラス、ポリマ、またはそれ以外の光が透過可能な物質から製造される。「レンズウエハ」とは、単一のウエハ層の上に配列され実装される複数のレンズを意味することがある。
【００１２】
「結合材料」とは、２以上のコンポーネントを共に付着させるのに用いられる接着剤を意味する。例示的な結合材料には、さまざまな接着剤（ａｄｈｅｓｉｖｅｓ）、接合剤（ｇｌｕｅｓ）、エポキシ、およびそれ以外の結合材料を含むことができる。ここで、それ以外の結合材料とは、２つの部分からなるエポキシ、熱硬化性の接着剤または接合剤、紫外線光硬化性の接着剤または接合剤、それ以外の類似の接着剤などである。
【００１３】
図２Ａから２Ｄは、精密スペーシング要素２１６を含む例示的なレンズアセンブリ２００を図解している。２枚のレンズアセンブリ２０２は、スペーシングウエハ２０４の周囲に位置決めされる。レンズウエハ２０２は、複数のレンズ２０６を含むことができる。レンズ２０６は４行５列に位置決めされているが、これは単なる例示目的のためであることに注意されたい。レンズ２０６の数量および位置は、レンズウエハ２０２の製造と意図している使用法とに応じて変動し得る。
【００１４】
図２Ａに示されているように、それぞれのレンズウエハは、１つまたは複数のランディングパッド２１２、すなわち、精密スペーシング要素２１６に対応するようにまたはそうでない場合には精密スペーシング要素２１６を受け取るように構成されている滑らかな領域を含むことができる。ランディングパッド２１２は、スペーシングウエハ２０４のスペーシング要素ホール２１４に配置されたどの精密スペーシング要素２１６もがランディングパッド２１２に接触するように、位置決めされる。
【００１５】
図２Ｂに示されているように、スペーシングウエハ２０４は、複数のホール２０８を含むことができる。これらの複数のホール２０８は、レンズウエハ２０２の上のそれぞれのレンズ２０６がホールの中に位置決めされ、それぞれのレンズによって透過された光が妨害されないまたはそれ以外の態様で妨げられないように、位置決めされている。スペーシングウエハ２０４は、また、精密スペーシング要素２１６を受け取りレンズウエハ２０２の間に位置決めするように構成された１つまたは複数のスペーシング要素ホール２１４を含むことができる。ホール２０８および／または２１４は、対称的なまたは非対称的な態様に配列することができる。
【００１６】
図２Ｃに示されているように、精密スペーシング要素２１６は、スペーシングウエハ２０４のスペーシング要素ホール２１４を通過するように配置され、精密スペーシングウエハがレンズウエハの両方の内側表面に接するようになっている。
【００１７】
図２Ｄに示されているように、結合材料２１０の層が、両方のレンズウエハ２０２の内側表面か、または、スペーシングウエハ２０４の両方の表面か、のいずれかに施用される。あるいは、結合材料２１０が、レンズウエハ２０２の両方の内側表面とスペーシングウエハ２０４の両方の表面との両方に施用され得る。次に、レンズウエハ２０２とスペーシングウエハ２０４とが相互に押下され、精密スペーシング要素２１６がレンズウエハ２０２のそれぞれの上のランディングパッド２１２と接触することにより、レンズアセンブリ２００の厚さが正確に決定される。結合材料の温度が下がるまたはそれ以外の態様で落ち着くと、レンズアセンブリ２００は、複数の個別のレンズアセンブリとスクラップ材料とに切断または分解され得る。スクラップ材料は、レンズウエハ２０２からの廃棄材料と、スペーシングウエハ２０４と精密スペーシング要素２１６とからの廃棄材料とを含む。廃棄材料が、融解される、化学浴において熔解される、または同様に除去され得ることにより、廃棄材料と精密スペーシング要素２１６とが分離される。そうすることで、精密スペーシング要素２１６は、以後のレンズアセンブリの製造において再利用することが可能である。
【００１８】
精密スペーシング要素２１６は、ガラス、金属、セラミック、または別の同様の材料の中の１つまたは複数から製造することができる。そのような材料の例には、チタン、ステンレススチール、アルミ、サファイア、ジルコニア、およびそれ以外の宝石が含まれる。また、精密スペーシング要素２１６は、低い公差レベルに製造することが可能である。たとえば、それぞれの精密スペーシング要素２１６は、当該精密スペーシング要素の少なくとも１つの寸法が、設定されたスペーシング距離の１ミクロンの範囲内となるように製造することができる。従って、精密スペーシング要素がレンズウエハ２０２の間に位置決めされると、レンズウエハは、設定されたスペーシング距離だけ相互に正確かつ厳密に離隔することになる。
【００１９】
さらに、精密スペーシング要素は、さまざまな幾何学的形状の１つであることが可能である。たとえば、精密スペーシング要素は、設定されたスペーシング距離と等しい高さを有する円柱の形状を有することがあり得る。同様に、精密スペーシング要素は、設定されたスペーシング距離と等しい直径を有する球の形状を有することもあり得る。精密スペーシング要素は、また、立方体、ピラミッド、ブロック、またはそれ以外の類似する幾何学的形状などの他の幾何学的な形状とすることも可能である。
【００２０】
設定されたスペーシング距離と等しい高さ、直径、またはそれ以外の寸法は、スペーシングウエハ２０４の厚さよりも大きいのが典型的である。これにより、精度の劣るスペーシングウエハを用いての製造プロセスが得られる。たとえば、スペーシングウエハのための厚さに関する公差は、レンズウエハの間の実際の距離を決定する精密スペーシング要素と共に増大する。従って、スペーシングウエハを製造するのに要求される時間および費用は、スペーシングウエハが厳密な厚さを有するように製造されなければならない現在のアプローチと比較して、減少させることができる。
【００２１】
図２Ａから２Ｄに示されているさまざまな特徴は単に例示目的のためだけに含まれているのであって、用いられる製造プロセスやレンズアセンブリの意図されている使用法に応じて省略できることに注意すべきである。たとえば、ランディングパッドは、レンズウエハから取り除くことが可能である。精密スペーシング要素は、製造の間、レンズウエハの未完成の表面に直接に接することがあり得る。同様に、精密スペーシング要素を、追加的なスペーシング要素ホールを一切追加することなく、スペーシングウエハの既存のホール（たとえば、ホール２０８）の中の１つに直接に配置することも可能である。
【００２２】
レンズアセンブリ２００など例示的なレンズアセンブリの製造およびアセンブリプロセスについては、図３Ａから３Ｅおよび図４を参照してより詳細に後述する。
【００２３】
図３Ａから３Ｅは、レンズアセンブリ２００の製造におけるさまざまな段階を図解している。図４は、レンズアセンブリ２００を製造する例示的な製造プロセスを図解するフローチャートを示している。以下の議論では、図３Ａ、３Ｂ、３Ｃ、３Ｄおよび３Ｅのそれぞれを、図４における対応するプロセスステップと同時に論じることにする。
【００２４】
最初は、図３Ａに示されているように、第１のレンズウエハ２０２とスペーシングウエハ２０４とが、レンズウエハの個別のレンズがスペーシングウエハ２０４のホールと位置合わせされるように、位置合わせされる（４０２）。図３Ｂに示されているように、位置合わせ（４０２）の後では、結合材料２１０が、レンズウエハ２０２の内側表面かレンズウエハに面しているスペーシングウエハ２０４の表面かのいずれか一方、または、両方に施用され、２枚のウエハは共に結合される（４０４）。あるいは、結合材料２１０を、レンズウエハ２０２とスペーシングウエハ２０４との位置合わせ（４０２）がなされる前に施用することも可能である。
【００２５】
図３Ｃに示されているように、精密スペーシング要素２１６がスペーシングウエハ２０４の中に挿入される（４０６）。精密スペーシング要素２１６は、結合材料２１０が硬化するまたはそれ以外の態様で固体化する前に挿入される。４つの精密スペーシング要素２１６は単なる例として示されているに過ぎないことに注意すべきである。これよりも多いまたは少ない精密スペーシング要素２１６を用いることが可能である。たとえば、１、２、３、４、５、６、７、８、９、１０、１１、１２またはそれよりも多くの精密スペーシング要素２１６を用いることが可能である。
【００２６】
図３Ｄに示されているように、精密スペーシング要素がいったん挿入されると（４０６）、第２のレンズウエハ２０２がスペーシングウエハ２０４と位置合わせされる（４０８）。位置合わせ（４０８）の後で、結合材料２１０が、第２のレンズウエハ２０２の内側表面か第２のレンズウエハに面しているスペーシングウエハ２０４の面かのいずれかに、または、それら両方に付加され、押下力が加えられると、これら２つのウエハは共に結合され（４１０）、その結果として、図３Ｅに示されているレンズアセンブリ２００のような圧縮されたウエハアセンブリが生じる。あるいは、レンズウエハ２０２とスペーシングウエハ２０４とが位置合わせ（４０８）され圧縮される前に、結合材料２１０が施用されることもある。ウエハアセンブリに加えられる押下力は、約５キロパスカル（ｋＰａ）から約１００ｋＰａである。押下力の特定の例は、約５ｋＰａ、約１０ｋＰａ、約２５ｋＰａ、約５０ｋＰａ、約１００ｋＰａ、およびこれらの値の中の任意の２つの間の範囲を含む。押下力の値は単なる例示として示されているのであって、用いられる材料や製造技術に応じて変動し得ることに注意すべきである。
【００２７】
圧縮されたウエハアセンブリが完全に硬化した後で、このアセンブリは、複数の個別のアセンブリとスクラップ材料とに分解される。スクラップ材料には、ウエハからの任意の廃棄材料と共に、精密スペーシング要素が含まれることがある。廃棄材料を、融解、熔解またはそれ以外の態様で、精密スペーシング要素から除去して分離することにより、精密スペーシング要素をどのような廃棄材料や破片も含まれないようにして、以後の圧縮されたウエハアセンブリの製造における再利用の準備をすることができる。
【００２８】
このプロセスおよび方法や、本明細書に開示されているそれ以外のプロセスおよび方法については、プロセスの中で実行される機能や方法は異なる順序で実装することも可能であることを、当業者であれば理解するはずである。さらに、概略を述べたステップや動作は単なる例として提供されているのであり、ステップや動作の中のいくつかはオプショナルであり、組み合わせることでより少ないステップや動作にまとめることができるし、開示されている実施形態の本質から離れることなく追加的なステップや動作を含むように拡張することも可能である。
【００２９】
上述したアセンブリおよびプロセスはＶＬＳＩ半導体の製造において用いられるのと類似した製造設備や技術を用いて製造および実行されることに注意すべきである。たとえば、単一の製造機械を、上述したスタック型のウエハアセンブリを製造するのに必要なプロセスステップを実行するように構成しプログラムすることが可能である。あるいは、２以上の製造機械が協動するように用いて、スタック型のウエハアセンブリを製造するのに必要なプロセスステップを実行することが可能である。光学的ウエハアセンブリは単なる例示として本明細書で論じられているに過ぎないことに注意すべきである。上述したアセンブリや製造プロセスは、任意のスタック型ウエハアセンブリに用いることができる。
【００３０】
図５Ａおよび５Ｂは、図６と共に、別のレンズアセンブリおよび製造方法を図解している。いくつかの応用では、スタック型のウエハアセンブリは、レンズアセンブリのための十分な構造を提供しない。たとえば、レンズと焦点との間の所望の焦点距離は、スペーシングウエハを用いることによって達成することができない。むしろ、あるレンズ要素は、当該レンズ要素をベース層から所望の焦点距離の距離にサポートし位置決めするように構成されそのようなサイズを有する複数のスペーシング要素によって、ベース層に実装することができる。以下の議論では、図５Ａおよび５Ｂは、それぞれ、図６からの対応するプロセスステップと同時に論じられる。
【００３１】
図５Ａに示されているように、１つまたは複数のレンズ５０３を含むレンズ要素５０２は、それ自体の上に付着された（６０２）複数のスペーシング要素５０４を有しており、第１のレンズアセンブリを形成している。ある量の変形可能材料５０６が、スペーシング要素５０４のそれぞれに施用される（６０４）。第１の下向きの押下力が、変形可能材料５０６がベース層５０８に接触するまで、第１のレンズアセンブリに加えられる（６０６）。ベース層５０８は、１つまたは複数の追加的な光学コンポーネントがその上に実装されている回路ボードまたはそれ以外の類似の構造である。たとえば、ベース層５０８は、追加的なレンズ、１つまたは複数のイメージセンサ、またはそれ以外の類似の光学コンポーネントを含むことができる。
【００３２】
変形可能材料５０６がベース層５０８に接触すると、変形可能材料には熱が加えられる（６０８）。加えられる熱は、約１５０℃から約２００℃である。加えられる熱の特定の例には、１５０℃、１６０℃、１７５℃、１９０℃、２００℃、およびこれらの値の中の任意の２つの間の範囲が含まれる。加えられる熱の値は単なる例示として示されているに過ぎず、用いられる材料に応じて変動し得ることに注意すべきである。
【００３３】
第２の下向きの押下力が第１のレンズアセンブリに加えられる（６１０）ことにより、ベース層５０８に対する変形可能材料５０６を変形させる。レンズ測定ツールを用いて、１つまたは複数のレンズ５０３とベース層５０８との間の距離を測定する（６１２）ことができる。１つまたは複数のレンズ５０３とベース層５０８との間の距離が所望の焦点距離と等しいときには、第２の押下力は除去される（６１４）。変形可能材料が、第１のレンズアセンブリをベース層５０８に結合する結合材料として機能することにより、図５Ｂに示されているような第２のレンズアセンブリ５１０が生じる。
【００３４】
製造の間、変形可能材料５０６がベース層５０８にいつ接触するのかを正確に判断するため、第１の下向きの力は第２の下向きの力よりも小さい。同様に、第２の下向きの力をより大きくすることにより、変形可能材料５０６を変形させるための追加的な圧力が提供される。第１の下向きの力は、約１０パスカル（Ｐａ）から約２５Ｐａである。第１の下向きの力の特定の例は、１０Ｐａ、１５Ｐａ、２０Ｐａ、２５Ｐａ、およびこれらの値の中の任意の２つの間の範囲を含む。第２の下向きの力は、約５０Ｐａから約１００Ｐａである。第１の下向きの力の特定の例は、５０Ｐａ、６０Ｐａ、７５Ｐａ、９０Ｐａ、１００Ｐａ、およびこれらの値の中の任意の２つの間の範囲を含む。第１の下向きの力と第２の下向きの力との値は単なる例示として示されているのであって、用いられる材料や製造技術に応じて変動し得ることに注意すべきである。
【００３５】
図５Ａ、５Ｂおよび６と関連して上述したアセンブリやプロセスにより、結果的に、正確な寸法に関して気を使うことなく個別のコンポーネントを迅速かつ安価に製造することを可能にする製造技術が得られる。たとえば、スペーシング要素５０４の厳密な長さの重要性が減じられるのであるが、これは、第１のレンズアセンブリに加えられる第２の下向きの力の大きさに基づいて製造デバイスが全体的な焦点距離を調整可能であり、それにより、変形可能材料５０６の変形量を増加または減少させることができるからである。これによって、個別のコンポーネントが製造上の欠陥のために廃棄される可能性が低くなり、レンズアセンブリの全体的なコストを低減することができる。
【００３６】
変形可能材料５０６は単なる例示として結合材料として用いられていることに注意すべきである。変形可能材料５０６とベース層５０８との間に、追加的な結合材料を施用することが可能である。
【００３７】
図５Ａ、５Ｂおよび６に関連して上述したアセンブリやプロセスは、集積回路ボードの製造と類似する製造装置および技術を用いて製造し実行することが可能であることにも注意すべきである。たとえば、「ピックアンドプレース（取り上げ、配置する）」機械を、上述したように、それぞれの第１のレンズアセンブリをベース層と位置合わせし、任意の必要な下向きの力を加えて第２のレンズアセンブリを製造するように構成することができる。あるいは、複数の製造機械を、ＶＬＳＩ半導体製造との関係で上述したように、用いることも可能である。
【００３８】
以上の詳細な説明では添付の図面を参照しているが、これらの図面は、本明細書の一部を形成している。これら複数の図面では、そうでないことをコンテキストが求めない限り、同じ符号であれば同じコンポーネントを識別するのが通常である。詳細な説明、図面、および特許請求の範囲に記載されている説明のための実施形態は、限定を意図していない。本明細書において提示されている主題の趣旨または範囲から逸脱することなく、他の実施形態を用いることが可能であるし、他の変更も可能である。この開示の態様を、本明細書において一般的に記載され図面において図解されているように、広範囲でさまざまな異なる設定として構成、置き換え、組み合わせ、分離、および設計することが可能であることは、容易に理解されるはずである。そして、そのようなすべてが本明細書において明示的に考察される。
【００３９】
本発明は、この出願において説明がなされている特定の実施形態に限定されておらず、さまざまな態様に関する説明として意図されている。本発明の趣旨および範囲から逸脱することなく多くの修正および変更を行うことが可能であることは、当業者に明らかである。本明細書において列挙されているものに加えて、本開示の範囲に含まれる機能的に均等な方法および装置は、上述した説明から当業者に明らかであるはずである。それらの修正および変更は、特許請求の範囲に含まれることが意図されている。本開示は、特許請求の範囲の記載によってのみ限定され、同時に特許請求の範囲に係る発明の均等物の範囲全体にも及ぶ。本開示が、特定の方法、試薬、化合物、組成物、または生体システムに限定されないことは理解されたい。これらは、もちろん変更可能である。また、本明細書において用いられている用語は特定の実施形態を説明する目的のためだけを有しているのであって、限定を意味しないことも理解されたい。
【００４０】
本明細書における実質的にすべての複数形および／または単数形の用語の使用に対して、当業者は、文脈および／または用途に適切なように、複数形から単数形に、および／または単数形から複数形に変換することができる。さまざまな単数形／複数形の置き換えは、明確にするために、本明細書で明確に説明することができる。
【００４１】
通常、本明細書において、特に添付の特許請求の範囲（たとえば、添付の特許請求の範囲の本体部）において使用される用語は、全体を通じて「オープンな（ｏｐｅｎ）」用語として意図されていることが、当業者には理解されよう（たとえば、用語「含む（ｉｎｃｌｕｄｉｎｇ）」は、「含むがそれに限定されない（ｉｎｃｌｕｄｉｎｇ  ｂｕｔ  ｎｏｔ  ｌｉｍｉｔｅｄ  ｔｏ）」と解釈されるべきであり、用語「有する（ｈａｖｉｎｇ）」は、「少なくとも有する（ｈａｖｉｎｇ  ａｔ  ｌｅａｓｔ）」と解釈されるべきであり、用語「含む（ｉｎｃｌｕｄｅｓ）」は、「含むがそれに限定されない（ｉｎｃｌｕｄｅｓ  ｂｕｔ  ｉｓ  ｎｏｔ  ｌｉｍｉｔｅｄ  ｔｏ）」と解釈されるべきである、など）。導入される請求項で具体的な数の記載が意図される場合、そのような意図は、当該請求項において明示的に記載されることになり、そのような記載がない場合、そのような意図は存在しないことが、当業者にはさらに理解されよう。たとえば、理解の一助として、添付の特許請求の範囲は、導入句「少なくとも１つの（ａｔ  ｌｅａｓｔ  ｏｎｅ）」および「１つまたは複数の（ｏｎｅ  ｏｒ  ｍｏｒｅ）」を使用して請求項の記載を導くことを含む場合がある。しかし、そのような句の使用は、同一の請求項が、導入句「１つまたは複数の」または「少なくとも１つの」および「ａ」または「ａｎ」などの不定冠詞を含む場合であっても、不定冠詞「ａ」または「ａｎ」による請求項の記載の導入が、そのように導入される請求項の記載を含む任意の特定の請求項を、単に１つのそのような記載を含む実施形態に限定する、ということを示唆していると解釈されるべきではない（たとえば、「ａ」および／または「ａｎ」は、「少なくとも１つの」または「１つまたは複数の」を意味すると解釈されるべきである）。同じことが、請求項の記載を導入するのに使用される定冠詞の使用にも当てはまる。また、導入される請求項の記載で具体的な数が明示的に記載されている場合でも、そのような記載は、少なくとも記載された数を意味すると解釈されるべきであることが、当業者には理解されよう（たとえば、他の修飾語なしでの「２つの記載（ｔｗｏ  ｒｅｃｉｔａｔｉｏｎｓ）」の単なる記載は、少なくとも２つの記載、または２つ以上の記載を意味する）。さらに、「Ａ、ＢおよびＣ、などの少なくとも１つ」に類似の慣例表現が使用されている事例では、通常、そのような構文は、当業者がその慣例表現を理解するであろう意味で意図されている（たとえば、「Ａ、Ｂ、およびＣの少なくとも１つを有するシステム」は、Ａのみ、Ｂのみ、Ｃのみ、ＡおよびＢを共に、ＡおよびＣを共に、ＢおよびＣを共に、ならびに／またはＡ、Ｂ、およびＣを共に、などを有するシステムを含むが、それに限定されない）。「Ａ、Ｂ、またはＣ、などの少なくとも１つ」に類似の慣例表現が使用されている事例では、通常、そのような構文は、当業者がその慣例表現を理解するであろう意味で意図されている（たとえば、「Ａ、Ｂ、またはＣの少なくとも１つを有するシステム」は、Ａのみ、Ｂのみ、Ｃのみ、ＡおよびＢを共に、ＡおよびＣを共に、ＢおよびＣを共に、ならびに／またはＡ、Ｂ、およびＣを共に、などを有するシステ���を含むが、それに限定されない）。２つ以上の代替用語を提示する事実上いかなる離接する語および／または句も、明細書、特許請求の範囲、または図面のどこにあっても、当該用語の一方（ｏｎｅ  ｏｆ  ｔｈｅ  ｔｅｒｍｓ）、当該用語のいずれか（ｅｉｔｈｅｒ  ｏｆ  ｔｈｅ  ｔｅｒｍｓ）、または両方の用語（ｂｏｔｈ  ｔｅｒｍｓ）を含む可能性を企図すると理解されるべきであることが、当業者にはさらに理解されよう。たとえば、句「ＡまたはＢ」は、「Ａ」または「Ｂ」あるいは「ＡおよびＢ」の可能性を含むことが理解されよう。
【００４２】
さらに、開示の特徴または態様がマーカッシュグループとして説明されている場合には、当該開示は、マーカッシュグループの中の任意の個別的構成要素や構成要素の部分集合として説明されることを当業者であれば認識するはずである。
【００４３】
文書による説明を提供するなど任意のおよびすべての目的について、本明細書において開示されているすべての範囲は、任意のおよびすべての可能性のある部分範囲と部分範囲の組み合わせとに及ぶことは、当業者であれば理解するはずである。リストにあるどの範囲も、当該範囲を十分に説明するものとして、また、当該範囲を少なくとも２等分、３等分、４等分、５等分、１０等分などに分割されることを可能にするものとして、容易に認識可能である。限定を意味しない例示として、本明細書で論じられるそれぞれの範囲は、３等分された最下位部分、中間部分、最上位部分などに容易に分割することが可能である。「まで（ｕｐ  ｔｏ）」や「少なくとも」などの用語はすべて、言及されている数字を含んでおり、上述したように後で部分範囲への分割が可能な範囲を意味することを、当業者であれば理解するはずである。最後になるが、１つの範囲がそれぞれの個別の構成要素を含むことは当業者が理解する通りである。従って、たとえば、１−３のセルを有するグループは、１つのセル、２つのセル、または、３つのセルを有するグループを意味する。同様にして、１−５のセルを有するグループは、１つのセル、２つのセル、３つのセル、４つのセル、または、５つのセルを有するグループを意味する。以下も同様である。
【実施例１】
【００４４】
チタン製のスペーシング要素を用いて製造される精密にスペーシングのなされたレンズアセンブリ
レンズアセンブリはバッチプロセスにおいて製造されるのが典型的である。バッチプロセスにおいては、スタックされたウエハアセンブリが構築され、多数の個別のレンズアセンブリに分解される。たとえば、スタックされたウエハアセンブリに、２５Ｘ２５のグリッドに配列された個別のレンズを有する２枚のレンズウエハが含まれており、結果的に６２５の個別のレンズアセンブリが生じる。スタックされたウエハアセンブリは、いったん構築されると、６２５の個別のレンズアセンブリに分解される。
【００４５】
第１のレンズウエハは、ガラスウエハと当該ガラスウエハの上に接着されたポリマ層とから製造される。ポリマ層は、ポリマ層をマスタウエハに対してホットエンボス加工して個別のレンズの形状、サイズおよび位置を画定することによって製造されるレンズのグリッドを含む。レンズは、１つまたは複数のレンズの数量、サイズおよび形状に応じた特定のパターンで、ガラスウエハの周囲に配列される。この例では、レンズは、２５Ｘ２５のグリッドに配列される。ガラスウエハの厚さは約４００ミクロンである。この１つまたは複数のレンズは、それぞれが、約２００ミクロンの曲率深度（ｃｕｒｖａｔｕｒｅ  ｄｅｐｔｈ）またはサグ（ｓａｇ）を有する。第２のレンズウエハは、寸法に関して第１のレンズと同一である。しかし、個別のレンズは、レンズアセンブリの光学的特性に応じて、サイズが異なることがある。この例では、それぞれのレンズウエハは同一である。
【００４６】
スペーシングウエハは、約５００ミクロンの厚さを有する射出成形されたポリマから製造される。スペーシングウエハにはホールが含まれているが、これらのホールは、ガラスウエハのレンズと数が同じであり、１つまたは複数のレンズによって透過された任意の光が当該スペーシングウエハを通過するように位置決めされている。この例では、スペーシングウエハは２５Ｘ２５のホールのグリッドを含んでいて、これらのホールは、レンズウエハのそれぞれのレンズが１つのホールの中に位置決めされるように、位置決めされている。スタック状のウエハは、さらに、スペーシングウエハの周辺部の周囲に、精密スペーシング要素を挿入するためのスペーシング要素のホールの組を含む。
【００４７】
完成したレンズアセンブリでは、第１のレンズウエハと第２のレンズウエハとは、５５０ミクロン離隔している。従って、多数の球状チタン製精密スペーシング要素は、直径が５５０ミクロンになるように製造される。チタン製スペーシング要素は、第１のレンズウエハと第２のレンズウエハとの間のスペーシング距離を最終的に画定するのであるから、約プラスマイナス１ミクロンという低い公差の範囲で製造される。
【００４８】
スタックされたウエハアセンブリが製造される間は、さまざまなウエハを接着するのに、２つの部分「ＡＢ」からなるエポキシ（たとえば、「Ａ」すなわち樹脂コンポーネントを含むエポキシと「Ｂ」すなわち硬化コンポーネントとを含むエポキシ）が用いられる。「Ａ」すなわち樹脂エポキシコンポーネントは両方のレンズウエハの内側表面に施用され、「Ｂ」すなわち硬化エポキシコンポーネントは、スペーシングウエハの両面に施用される。第１のレンズウエハがスペーシングウエハに対して位置合わせがなされ押下される。次に、複数のチタン製精密スペーシング要素が、スペーシングウエハの内部であってその周辺部の周囲にあるスペーシング要素のホールの中に配置され、スタックされたウエハアセンブリが圧縮されると、第１のレンズウエハと第２のレンズウエハとがチタン製精密スペーシング要素と接触することにより、第１のレンズウエハと第２のレンズウエハとが厳密に５５０ミクロン離隔しているウエハアセンブリが結果的に生じる。第２のレンズウエハが、スペーシングウエハに対して位置合わせがなされ押下される。スタックされたウエハアセンブリが、２つのレンズウエハがチタン製スペーシング要素と接触するように、圧縮される。約１５０℃の熱がスタックされたウエハアセンブリに加えられ、エポキシを硬化する。
【００４９】
硬化の後で、ウエハアセンブリは、６２５の個別のレンズアセンブリとある量のスクラップ材料とに分解される。スクラップ材料は、両方のレンズウエハからの廃棄物とスペーシングウエハからの破棄物とを含む。スペーシングウエハからの廃棄物は、チタン製精密スペーシング要素を含む。廃棄材料が融解する約３００℃までスクラップ材料が加熱され、チタン製精密要素が廃棄材料から回収され、洗浄され、何らかの欠陥がないかどうか検査を受け、レンズアセンブリの別のバッチを製造するのに用いるためスペーシング要素の供給源に戻される。
【００５０】
この例示的な製造プロセスは、精密ではないスペーシングウエハを用いているにもかかわらず、６２５の精密にスペーシングがなされたレンズアセンブリを結果的に生じる。５５０ミクロンなどの厳密な厚さになるように製造されたウエハのスペーシングを行うことは、費用を要し時間がかかるタスクである。いったん結合され分解されると、スペーシングウエハに対して費やされた金銭的および時間的投資は、その単一のスペーシングウエハから作られる個別の複数のレンズアセンブリの間で分散されるだけのことである。この例は、１組の精密スペーシング要素を複数のスタックされたウエハアセンブリのために用いることができることにより、精密スペーシング要素の費用を多数のスタックされたウエハアセンブリの間に分散させることが可能であり、よって、それぞれのアセンブリの費用を低下させることができることを示している。
【実施例２】
【００５１】
半導体パッケージング
さまざまな半導体コンポーネントのためのパッケージングは、エアキャビティパッケージングに向かう傾向にある。パッケージのリッド（ふた）の高さは、半導体のマイクロ波および無線周波数動作に影響するので、注意深く制御される。パッケージの製造の間は、セラミックまたは類似の材料のリッドと、さまざまなスペーサとを用いて、そのリッドを半導体から一定の距離に保持している。本明細書において教示されるような精密スペーシング要素を半導体パッケージングの製造の間に用いることにより、精度が高く再生可能な半導体パッケージを製造することができる。例１において論じたのと類似のスタック型ウエハアセンブリ製造技術を用いて、半導体パッケージのバッチを製造することができる。製造の後では、スタック型のウエハアセンブリは、半導体パッケージと廃棄材料とに分解される。精密スペーシング要素は、半導体パッケージの別のバッチの製造で用いるために、廃棄材料から回収することができる。
【実施例３】
【００５２】
顧客が利用可能なレンズアセンブリと精密スペーシング要素キット
個々のレンズアセンブリを別々の製造業者から購入するのとは対照的に電子製造業者が必要に応じてレンズアセンブリを構築できるように、レンズアセンブリキットが販売されるであろう。このキットには、２以上のレンズウエハと１つまたは複数のスペーシング要素とが含まれる。１つまたは複数の組の精密スペーシング要素を含む追加的なキットが販売されるであろう。さまざまな品質レベルの精密スペーシング要素が提供されるはずである。品質レベルが向上するにつれて、耐久性、精度およびコストが同じように上昇する。たとえば、最高品質のものは、顧客の厳密なスペーシング要求を満たすように慎重に研磨がなされ形状が決定されるサファイアなどの宝石から作成されるであろう。低品質の材料は、射出成形ポリマ、研磨され形状が決定されるセラミック製の精密スペーシング要素、および例１で論じたチタン製スペーシング要素のような金属製の精密スペーシング要素から作られた１回利用精密スペーシング要素を含む。
【００５３】
顧客の必要に基づき、顧客は、少なくとも１つの精密スペーシング要素キットと共に、複数のレンズアセンブリキットを購入することになる。顧客は、複数のスタック型レンズウエハアセンブリの製造のために精密スペーシング要素を再利用することにより、必要に応じてレンズアセンブリを正確かつ迅速に製造することができる。このようにして、精密スペーシング要素のコストは、多数のレンズアセンブリの間で分散されることになり、個々のレンズアセンブリのコストを下げることができる。
【００５４】
以上から、本開示のさまざまな実施形態が説明目的のために本明細書に記述されたことが理解できるであろう。本開示の範囲および趣旨から逸脱することなく、さまざまな修正が可能であることも理解できよう。従って、本明細書において開示されたさまざまな実施形態は限定を意味しておらず、真の範囲および趣旨は、特許請求の範囲の記載によって示される。
【図１Ａ】
0005504376.tif 000002
【図１Ｂ】
0005504376.tif 000003
【図１Ｃ】
0005504376.tif 000004
【図１Ｄ】
0005504376.tif 000005
【図２Ａ】
0005504376.tif 000006
【図２Ｂ】
0005504376.tif 000007
【図２Ｃ】
0005504376.tif 000008
【図２Ｄ】
0005504376.tif 000009
【図３Ａ】
0005504376.tif 000010
【図３Ｂ】
0005504376.tif 000011
【図３Ｃ】
0005504376.tif 000012
【図３Ｄ】
0005504376.tif 000013
【図３Ｅ】
0005504376.tif 000014
【図４】
0005504376.tif 000015
【図５Ａ】
0005504376.tif 000016
【図５Ｂ】
0005504376.tif 000017
【図６】
0005504376.tif 000018